(57)【要約】【課題】鉄筋コンクリート造建物を構築する施工期間を短縮する。【解決手段】ある階の柱の構築作業、当該階の直上の階の梁の構築作業、及び当該階の直上の階の床の構築作業を含む当該階の立上り構築作業を各階について行うことにより鉄筋コンクリート造建物の構築する方法において、少なくとも一部の階を作業対象階として、作業対象階の各階の立上り構築作業のうち、柱の構築作業の少なくとも一部の作業、梁の構築作業の少なくとも一部の作業、及び床の構築作業の少なくとも一部の作業を先行作業とし、各階の立上り構築作業のうち、先行作業以外の作業を後行作業とし、作業対象階のうちのある階の先行作業（ステップＮ−１〜Ｎ−３）の少なくとも一部の作業と、当該階よりも下の少なくとも何れかの階の後行作業（ステップ（Ｎ−１）−１〜（Ｎ−１）−３）の少なくとも一部の作業と、を並行して行う。【選択図】図１
2009102914.tif 000002
【特許請求の範囲】
【請求項１】
ある階の柱の構築作業、当該階の直上の階の梁の構築作業、及び当該階の直上の階の床の構築作業を含む当該階の立上り構築作業を各階について行うことにより鉄筋コンクリート造建物の構築する方法であって、
少なくとも一部の階を作業対象階として、
前記作業対象階の各階の立上り構築作業のうち、前記柱の構築作業の少なくとも一部の作業を先行作業とし、
前記各階の立上り構築作業のうち、前記先行作業以外の作業を後行作業とし、
前記作業対象階のうちのある階の前記先行作業の少なくとも一部の作業と、当該階よりも下の少なくとも何れかの階の前記後行作業の少なくとも一部の作業と、を並行して行うことを特徴とする鉄筋コンクリート造建物の構築方法。
【請求項２】
ある階の柱の構築作業、当該階の直上の階の梁の構築作業、及び当該階の直上の階の床の構築作業を含む当該階の立上り構築作業を各階について行うことにより鉄筋コンクリート造建物の構築する方法であって、
少なくとも一部の階を作業対象階として、
前記作業対象階の各階の立上り構築作業のうち、前記柱の構築作業の少なくとも一部の作業及び前記梁の構築作業の少なくとも一部の作業を先行作業とし、
前記各階の立上り構築作業のうち、前記先行作業以外の作業を後行作業とし、
前記作業対象階のうちのある階の前記先行作業の少なくとも一部の作業と、当該階よりも下の少なくとも何れかの階の前記後行作業の少なくとも一部の作業と、を並行して行うことを特徴とする鉄筋コンクリート造建物の構築方法。
【請求項３】
ある階の柱の構築作業、当該階の直上の階の梁の構築作業、及び当該階の直上の階の床の構築作業を含む当該階の立上り構築作業を各階について行うことにより鉄筋コンクリート造建物の構築する方法であって、
少なくとも一部の階を作業対象階として、
前記作業対象階の各階の立上り構築作業のうち、前記柱の構築作業の少なくとも一部の作業、前記梁の構築作業の少なくとも一部の作業、及び前記床の構築作業の少なくとも一部の作業を先行作業とし、
前記各階の立上り構築作業のうち、前記先行作業以外の作業を後行作業とし、
前記作業対象階のうちのある階の前記先行作業の少なくとも一部の作業と、当該階よりも下の少なくとも何れかの階の前記後行作業の少なくとも一部の作業と、を並行して行うことを特徴とする鉄筋コンクリート造建物の構築方法。
【請求項４】
請求項１から３のうち何れかに記載の鉄筋コンクリート造建物の構築方法であって、
前記柱はフルＰＣ柱部材からなり、
前記柱の構築作業は、前記フルＰＣ柱部材の建て込み作業からなり、
前記先行作業は、前記フルＰＣ柱部材の建て込み作業を含むことを特徴とする鉄筋コンクリート造建物の構築方法。
【請求項５】
請求項１から３のうち何れかに記載の鉄筋コンクリート造建物の構築方法であって、
前記柱は現場打ちコンクリート部材からなり、
前記柱の構築作業は、柱筋の配筋作業、柱型枠の設置作業、及び柱コンクリートの打設作業を含み、
前記先行作業は、少なくとも前記柱筋の配筋作業を含むことを特徴とする鉄筋コンクリート造建物の構築方法。
【請求項６】
請求項１から５のうち何れかに記載の鉄筋コンクリート造建物の構築方法であって、
前記梁はフルＰＣ梁部材からなり、
前記梁の構築作業は、前記フルＰＣ梁部材の建て込み作業を含むことを特徴とする鉄筋コンクリート造建物の構築方法。
【請求項７】
請求項１から５のうち何れかに記載の鉄筋コンクリート造建物の構築方法であって、
前記梁はハーフＰＣ梁部材にコンクリートが打設されてなり、
前記梁の構築作業は、前記ハーフＰＣ梁部材の建て込み作業及び梁コンクリートの打設作業を含むことを特徴とする鉄筋コンクリート造建物の構築方法。
【請求項８】
請求項１から５のうち何れかに記載の鉄筋コンクリート造建物の構築方法であって、
前記梁は現場打ちコンクリート部材からなり、
前記梁の構築作業は、梁筋の配筋作業、梁型枠の設置作業、及び梁コンクリートの打設作業を含むことを特徴とする鉄筋コンクリート造建物の構築方法。
【請求項９】
請求項１から８のうち何れかに記載の鉄筋コンクリート造建物の構築方法であって、
前記床はフルＰＣ床板からなり、
前記床の構築作業は、前記フルＰＣ床板の建て込み作業を含むことを特徴とする鉄筋コンクリート造建物の構築方法。
【請求項１０】
請求項１から８のうち何れかに記載の鉄筋コンクリート造建物の構築方法であって、
前記床はハーフＰＣ床板にコンクリートが打設されてなり、
前記床の構築作業は、前記ハーフＰＣ床板の建て込み作業、床筋の配筋作業、及び床コンクリートの打設作業を含むことを特徴とする鉄筋コンクリート造建物の構築方法。
【請求項１１】
請求項１から８のうち何れかに記載の鉄筋コンクリート造建物の構築方法であって、
前記床は現場打ちコンクリート部材からなり、
前記床の構築作業は、床型枠の設置作業、床筋の配筋作業、及び床コンクリートの打設作業を含むことを特徴とする鉄筋コンクリート造建物の構築方法。
【発明の詳細な説明】
【技術分野】
【０００１】
本発明は、ラーメン構造からなる鉄筋コンクリート造建物の構築方法に関する。
【背景技術】
【０００２】
従来より、ラーメン構造からなる鉄筋コンクリート造の建物は、柱、梁、床を、夫々現場打ちコンクリート又はＰＣ部材により形成することにより構築されている。図１８は、従来の方法により、柱はＰＣ柱部材を用いて構築し、梁はＰＣ梁部材を用いて構築し、床は現場打ちコンクリート部材により構築する場合の作業の流れを示す図である。同図に示すように、このように、柱はＰＣ柱部材、梁はＰＣ梁部材、床は現場打ちコンクリート部材を用いた場合には、各階を作業対象階（＝Ｎ階）として、以下のステップＮ−１〜Ｎ―５からなる立上り構築作業を各階について行うことにより、鉄筋コンクリート造建物を構築することができる（例えば、非特許文献１参照）。
【０００３】
ステップＮ−１：ＰＣ柱部材を建て込み、Ｎ階の柱(NC)を構築する。
ステップＮ−２：ＰＣ梁部材を柱に接続し、Ｎ＋１階の梁((N+1)G)を構築する。
ステップＮ−３：Ｎ＋１階の梁((N+1)G)にＮ＋１階の床((N+1)S)に当たる位置に床型枠を取り付ける。
ステップＮ−４：Ｎ＋１階の床((N+1)S)を構成する床筋を配筋する。
ステップＮ−５：Ｎ＋１階の床((N+1)S)を構成する床コンクリートを打設する。
【非特許文献１】社団法人  日本建築学会、「建築工事標準仕様書・同解説  JASS10プレキャスト鉄筋コンクリート工事  2003」、第４版、社団法人  日本建築学会、2003年2月、p.164-p.194
【発明の開示】
【発明が解決しようとする課題】
【０００４】
このように、上記の方法では、各作業対象階（Ｎ階）におけるステップＮ−１〜Ｎ−５における立上り構築作業が完了するまで、次の階（Ｎ＋１階）の作業を行っておらず、施工期間が長期化していた。
【０００５】
本発明は、上記の問題に鑑みなされたものであり、鉄筋コンクリート造建物を構築する施工期間を短縮することを目的とする。
【課題を解決するための手段】
【０００６】
本発明の鉄筋コンクリート造建物の構築方法は、ある階の柱の構築作業、当該階の直上の階の梁の構築作業、及び当該階の直上の階の床の構築作業を含む当該階の立上り構築作業を各階について行うことにより鉄筋コンクリート造建物の構築する方法であって、  少なくとも一部の階を作業対象階として、前記作業対象階の各階の立上り構築作業のうち、前記柱の構築作業の少なくとも一部の作業を先行作業とし、前記各階の立上り構築作業のうち、前記先行作業以外の作業を後行作業とし、前記作業対象階のうちのある階の前記先行作業の少なくとも一部の作業と、当該階よりも下の少なくとも何れかの階の前記後行作業の少なくとも一部の作業と、を並行して行うことを特徴とする。
【０００７】
また、本発明の鉄筋コンクリート造建物の構築方法は、ある階の柱の構築作業、当該階の直上の階の梁の構築作業、及び当該階の直上の階の床の構築作業を含む当該階の立上り構築作業を各階について行うことにより鉄筋コンクリート造建物の構築する方法であって、少なくとも一部の階を作業対象階として、前記作業対象階の各階の立上り構築作業のうち、前記柱の構築作業の少なくとも一部の作業及び前記梁の構築作業の少なくとも一部の作業を先行作業とし、前記各階の立上り構築作業のうち、前記先行作業以外の作業を後行作業とし、前記作業対象階のうちのある階の前記先行作業の少なくとも一部の作業と、当該階よりも下の少なくとも何れかの階の前記後行作業の少なくとも一部の作業と、を並行して行うことを特徴とする。
【０００８】
また、本発明の鉄筋コンクリート造建物の構築方法は、ある階の柱の構築作業、当該階の直上の階の梁の構築作業、及び当該階の直上の階の床の構築作業を含む当該階の立上り構築作業を各階について行うことにより鉄筋コンクリート造建物の構築する方法であって、少なくとも一部の階を作業対象階として、前記作業対象階の各階の立上り構築作業のうち、前記柱の構築作業の少なくとも一部の作業、前記梁の構築作業の少なくとも一部の作業、及び前記床の構築作業の少なくとも一部の作業を先行作業とし、前記各階の立上り構築作業のうち、前記先行作業以外の作業を後行作業とし、前記作業対象階のうちのある階の前記先行作業の少なくとも一部の作業と、当該階よりも下の少なくとも何れかの階の前記後行作業の少なくとも一部の作業と、を並行して行うことを特徴とする。
【０００９】
なお、ある階の前記先行作業の少なくとも一部の作業と、当該階よりも下の少なくとも何れかの階の前記後行作業の少なくとも一部の作業と、を並行して行うとは、実際に作業が同時に行われている場合のみならず、先行作業の少なくとも一部の作業の作業開始から作業完了までの期間と、後行作業の少なくとも一部作業の作業開始から作業完了までの期間とが一部でも重なっている場合も意味するものである。
また、上記の構築方法において、作業対象階の各階の先行作業及び後行作業は、夫々の階について同じ様に決定してもよいし、夫々の階について先行作業及び後行作業を異なるように決定してもよい。
【００１０】
また、前記柱はフルＰＣ柱部材からなり、前記柱の構築作業は、前記フルＰＣ柱部材の建て込み作業からなり、前記先行作業は、前記フルＰＣ柱部材の建て込み作業を含んでもよい。
【００１１】
また、前記柱は現場打ちコンクリート部材からなり、前記柱の構築作業は、柱筋の配筋作業、柱型枠の設置作業、及び柱コンクリートの打設作業を含み、前記先行作業は、少なくとも前記柱筋の配筋作業を含んでもよい。
【００１２】
また、前記梁はフルＰＣ梁部材からなり、前記梁の構築作業は、前記フルＰＣ梁部材の建て込み作業を含んでもよい。
【００１３】
また、前記梁はハーフＰＣ梁部材にコンクリートが打設されてなり、前記梁の構築作業は、前記ハーフＰＣ梁部材の建て込み作業及び梁コンクリートの打設作業を含んでもよい。
【００１４】
また、前記梁は現場打ちコンクリート部材からなり、前記梁の構築作業は、梁筋の配筋作業、梁型枠の設置作業、及び梁コンクリートの打設作業を含んでもよい。
【００１５】
また、前記床はフルＰＣ床板からなり、前記床の構築作業は、前記フルＰＣ床板の建て込み作業を含んでもよい。
【００１６】
また、前記床はハーフＰＣ床板にコンクリートが打設されてなり、前記床の構築作業は、前記ハーフＰＣ床板の建て込み作業、床筋の配筋作業、及び床コンクリートの打設作業を含んでもよい。
【００１７】
また、前記床は現場打ちコンクリート部材からなり、前記床の構築作業は、床型枠の設置作業、床筋の配筋作業、及び床コンクリートの打設作業を含んでもよい。
【発明の効果】
【００１８】
本発明によれば、鉄筋コンクリート造建物の構築作業のうち、一部の作業を先行作業とし、残りの作業を後行作業として、異なる階の先行作業及び後行作業の少なくとも一部を並行して行うため、施工期間を短縮することができる。
【発明を実施するための最良の形態】
【００１９】
以下、本発明の鉄筋コンクリート造建物の構築方法の各実施形態を図面を参照しながら詳細に説明する。
図１は、本発明の鉄筋コンクリート造建物の構築方法の作業の流れと、従来の構築方法の作業の流れとを比較するための図である。なお、同図には、一例として、柱はＰＣ柱部材を用いて構築し、梁はＰＣ梁部材を用いて構築し、床は現場打ちコンクリート部材により構築する場合の作業の流れを示している。従来技術の欄にも記載したように、従来は、鉄筋コンクリート造建物は、各階を作業対象階（＝Ｎ階）として、Ｎ階の柱の構築作業（ステップＮ−１）、Ｎ＋１階の梁の構築作業（ステップＮ−２）、及びＮ＋１階の床の構築作業（ステップＮ−３〜Ｎ−５）からなる立上り構築作業を行うことにより構築していた。
【００２０】
ここで、柱の構築作業とは、フルＰＣ柱部材を用いる場合には、フルＰＣ柱部材の建て込み作業をいい、現場打ちの場合には、柱筋の配筋作業、柱型枠の設置作業、及び柱コンクリートの打設作業をいう。
【００２１】
また、梁の構築作業とは、フルＰＣ梁部材を用いる場合には、フルＰＣ梁部材の建て込み作業をいい、ハーフＰＣ梁部材を用いる場合には、ハーフＰＣ梁部材の建て込み作業、及び梁コンクリートの打設作業をいい、現場打ちの場合には、梁筋の配筋作業、梁型枠の設置作業、及び梁コンクリートの打設作業をいう。なお、ハーフＰＣ梁部材を用いる場合には、必要に応じて梁型枠の設置作業を行ってもよい。
【００２２】
また、床の構築作業とは、フルＰＣ床板を用いる場合には、フルＰＣ床板の建て込み作業をいい、ハーフＰＣ床板を用いる場合には、ハーフＰＣ床板の建て込み作業、スラブ筋の配筋作業、及び、床コンクリートの打設作業をいい、現場において構築する（以下、現場打ちという）場合には、床型枠の設置作業、スラブ筋の配筋作業、及び床コンクリートの打設作業をいう。
【００２３】
これに対して、本実施形態の鉄筋コンクリート造建物の構築方法は、図１に示すように、作業対象階（Ｎ階）の柱の構築作業、作業対象階の直上の階（Ｎ＋１階）の梁の構築作業、及び作業対象階の直上の階（Ｎ＋１階）の梁の床の構築作業とからなる作業対象階（Ｎ階）の立上り構築作業を、先行して行う先行作業と後行して行う後行作業とに分け（図１に示す例では、ステップＮ−１〜Ｎ−３を先行作業とし、ステップＮ−４〜Ｎ−５を後行作業とする）、各階を作業対象階として、作業対象階における先行作業と、作業対象階よりも下の階の後行作業とを並行して行うものである。
【００２４】
なお、本発明の鉄筋コンクリート造建物の構築方法では、以下の条件を満たすように先行作業と後行作業とをわけるものとする。
Ａ：柱の構築作業において、フルＰＣ柱部材を用いる場合には、フルＰＣ柱部材の建て込み作業は先行作業として行わなければならない。
【００２５】
Ｂ：柱の構築作業が、現場打ちの場合には、柱筋の配筋作業は先行作業として行わなければならないが、柱型枠の設置作業及び柱コンクリートの打設作業は先行作業又は後行作業の何れかとして行うことができる。ただし、個々の柱について、柱筋の配筋作業、柱型枠の設置作業、及び柱コンクリートの打設作業を、この順序で行われなければならない。
【００２６】
Ｃ：梁の構築作業において、フルＰＣ梁部材を用いる場合には、フルＰＣ梁部材の建て込み作業は先行作業又は後行作業の何れとしても行うことができる、
【００２７】
Ｄ：梁の構築作業において、ハーフＰＣ梁部材を用いる場合には、ハーフＰＣ梁部材の建て込み作業は先行作業、梁型枠の設置作業、及び梁コンクリートの打設作業は先行作業又は後行作業の何れとしても行うことができる。ただし、個々の梁について、ハーフＰＣ梁部材の建て込み作業、梁型枠の設置作業、及び梁コンクリートの打設作業を、この順序で行われなければならない。
【００２８】
Ｅ：梁の構築作業が、現場打ちの場合には、梁筋の配筋作業、梁型枠の設置作業及び梁コンクリートの打設作業は、先行作業又は後行作業の何れとしても行うことができる。ただし、個々の梁について、梁コンクリートの打設作業は、梁筋の配筋作業及び梁型枠の設置作業が完了した後、行われなければならない。
【００２９】
Ｆ：ある階（例えば、Ｎ階）の梁の構築作業は、その直下の階（Ｎ−１階）の柱をフルＰＣ柱部材を用いて構築する場合には、フルＰＣ柱部材の建て込み作業が少なくとも完了していなければ行うことができず、また、直下の階（Ｎ−１階）階の柱を現場打ちにより構築する場合には柱筋の配筋作業が少なくとも完了していなければ行うことができない。
【００３０】
Ｇ：床の構築作業において、フルＰＣ床板を用いる場合には、フルＰＣ床板の建て込み作業は先行作業又は後行作業の何れとしても行うことができる。
【００３１】
Ｈ：床の構築作業において、ハーフＰＣ床板を用いる場合には、ハーフＰＣ床板の建て込み作業、スラブ筋の配筋作業、及び、床コンクリートの打設作業は、先行作業又は後行作業の何れとしても行うことができるが、個々の床について、この順序で行われなければならない。
【００３２】
Ｉ：床の構築作業において、現場打ちの場合には、床型枠の設置作業、スラブ筋の配筋作業、及び床コンクリートの打設作業は、先行作業又は後行作業の何れとしても行うことができるが、個々の床について、この順序で行われなければならない。
【００３３】
Ｊ：ある階（例えば、Ｎ階）の床の構築作業は、その階（Ｎ階）の梁をフルＰＣ梁部材を用いて構築する場合には、フルＰＣ梁部材の建て込みが完了していなければ行うことができず、その階（Ｎ階）の梁をハーフＰＣ梁部材を用いて構築する場合には、ハーフＰＣ梁部材の建て込みが完了していなければ行うことができず、その階（Ｎ階）の梁を現場打ちにより構築する場合には、梁筋の配筋作業が完了していなければ行うことができない。
本発明では、以上の条件Ａ〜Ｊを満たすように、先行作業及び後行作業を決定するものとした。
【００３４】
以下、上記の鉄筋コンクリート造建物の構築方法を、柱については現場打ちの場合と、フルＰＣ柱部材を用いた場合とに分け、梁については、現場打ちの場合と、ハーフＰＣ梁部材を用いた場合と、フルＰＣ梁部材を用いた場合と、床については、現場打ちの場合と、ハーフＰＣ床板を用いた場合と、フルＰＣ床板を用いた場合とに分けて説明する。
【００３５】
<柱：現場打ち、梁：現場打ち又はハーフＰＣ、床：フルＰＣの場合>
以下、柱及び梁は現場打ちコンクリート部材より構築し、床はフルＰＣ部材を用いて構築する場合について説明する。
図２Ａ〜図２Ｄは、かかる場合の鉄筋コンクリート造の建物を構築する流れを説明するための図であり、図３は、かかる場合の鉄筋コンクリート造の建物を構築する流れを説明するためのフローチャートである。なお、図２Ａ〜図２Ｄにおいて、構築が完了している箇所は灰色で示している。
【００３６】
本実施形態において、各階の立上り構築作業のうち、その階の柱の配筋作業及び型枠設置作業、その直上の階の梁の配筋作業及び型枠設置作業、及び直上の階のふるＰＣ床板の建て込み作業を先行作業とし、その階の柱及び直上の階の梁のコンクリート打設作業を後行作業とする。すなわち、Ｎ階を作業対象階とした場合に、Ｎ階の立上り構築作業のうちの先行作業（Ｎ階の柱筋の配筋及び柱型枠の設置作業、Ｎ＋１階の梁筋の配筋作業及び梁型枠の設置作業、及びＮ＋１階のフルＰＣ床板の建込作業）と、Ｎ−１階の立上り構築作業のうちの後行作業（Ｎ−１階の柱、及びＮ階の梁のコンクリート打設）との少なくとも一部を並行して行うことにより施工期間を短縮する。
【００３７】
以下、本実施形態の鉄筋コンクリート造の建物の構築方法を詳細に説明する。
図２Ａに示すように、ステップ１１００におけるＮ階の柱NCにおける配筋作業を行うにあたり、Ｎ−２階よりも下階の柱(N-2)C１１０の構築が完了しており、Ｎ−１階よりも下の階の梁 (N-1)G１２０の構築が完了しており、Ｎ階よりも下の階の床NSの建込作業が完了しており、Ｎ−１階の柱(N-1)Cの柱筋１１１の配筋作業及び型枠の設置作業が完了しており、Ｎ階の梁NGの梁筋１２１の配筋作業及び梁型枠１２２の設置作業が完了している。
【００３８】
まず、図２Ａに示すように、図３のステップ１１００におけるＮ階の柱NCの柱筋１１１の配筋作業及びステップ１１０２におけるＮ階の柱NCの柱型枠１１２の設置作業を行う。なお、施工期間短縮のため、柱筋１１１は予め地上において組んだものを揚重機により揚重するとよい。
【００３９】
次に、図２Ｂ及び図２Ｃに示すように、ステップ１１０４におけるＮ階の梁NGの梁筋１２１の配筋作業及びステップ１１０６におけるＮ階の梁NGの梁型枠１２２の設置作業を行うとともに、これと並行して、ステップ１１１０におけるＮ−１階の柱(N-1)Cの柱型枠１１２内へのコンクリート１１３の打設及びステップ１１１２におけるＮ階の梁NCの梁型枠１２２内へのコンクリート１２３の打設を行う。このように、本実施形態では、コンクリートの打設作業を作業対象階と異なる階で行うことにより、他の作業と作業空間が重なることがないため、並行して行うことができる。
【００４０】
次に、図２Ｄに示すように、Ｎ＋１階の床(N+1)Sを構成するフルＰＣ床板１３０Ａを建て込む。なお、建て込んだフルＰＣ床板１３０Ａは支持部材によりＮ階の床１３０に反力を取って支持すればよい。
【００４１】
これにより、Ｎ−１階よりも下階の柱(N-1)C１１０の構築が完了しており、Ｎ階よりも下の階の梁 NG１２０の構築が完了しており、Ｎ＋１階よりも下の階の床(N+1)Sの建込作業が完了しており、Ｎ階の柱NCの柱筋１１１の配筋作業及び型枠の設置作業が完了しており、Ｎ＋１階の梁(N+1)Gの梁筋１２１の配筋作業及び梁型枠１２２の設置作業が完了した状態となる。このため、ステップ１１００〜１１１２の各工程を各階について行うことにより、ラーメン架構からなる鉄筋コンクリート造の建物を構築することができる。
【００４２】
以上説明したように、本実施形態では、ステップ１１０４、１１０６におけるＮ＋１階の梁筋１２１の配筋作業及び梁型枠１２２の設置作業と並行して、Ｎ−１階の柱及びＮ階の梁を構成するコンクリート１１３、１２３を打設する工程とを行うため、工期を短縮することが可能となる。
【００４３】
なお、上記実施形態では、Ｎ階の立上り構築作業のうち、Ｎ階の柱の構築作業の一部の作業、Ｎ＋１階の梁の構築作業の一部の作業、及びＮ＋１階の床の構築作業を先行作業として行うものとしたが、本発明の実施形態はこれに限られない。例えば、Ｎ階の柱の構築作業の一部の作業及び、梁の構築作業の一部の作業のみを先行作業として行うことも可能である。
【００４４】
図４はこのような場合の作業の流れを示すフローチャートである。このような場合には、ステップ１１２０〜ステップ１１２３において、Ｎ階の立上り構築作業のうち、Ｎ階の柱の柱筋配筋作業及び型枠の設置作業、Ｎ＋１階の梁の梁筋の配筋作業及び梁型枠の設置作業を先行作業として行い、これ並行して、Ｎ−１階の立上り構築作業の後行作業であるＮ階の床を構成するフルＰＣ床板の建込み作業、Ｎ−１階の柱及びＮ階の梁を構成するコンクリートの打設作業を行えばよい。
【００４５】
さらに、Ｎ階の柱の構築作業の一部の作業のみを先行作業として行うことも可能である。図５は、このような場合の作業の流れを示すフローチャートである。このような場合には、Ｎ階の立上り構築作業のうち、Ｎ階の柱の柱筋配筋作業及び型枠の設置作業を先行作業として行い、これ並行して、Ｎ−１階の立上り構築作業の後行作業である、Ｎ階の梁の梁筋の配筋作業及び梁型枠の設置作業、Ｎ階の床を構成するフルＰＣ床板の建込み作業、Ｎ−１階の柱及びＮ階の梁を構成するコンクリートの打設作業を行えばよい。
【００４６】
このように、上記した作業順序の条件Ａ〜Ｊを満たし、先行作業と後行作業との一部の作業を並行して行えば、施工期間を短縮することができる。
【００４７】
なお、上記の実施形態では、梁筋の配筋を行った後、梁型枠を設置することとしたが、これに限らず、梁型枠を設置した後、梁筋の配筋作業を行ってもよい。すなわち、図３におけるステップ１１０４とステップ１１０６、図４におけるステップ１１２２とステップ１１２３、図５におけるステップ１１３２とステップ１１３３とを逆の順序で行ってもよい。
また、上記の実施形態では、梁を現場打ちにより構築する場合について説明したが、梁をハーフＰＣ梁部材を用いて構築する場合には、図３のステップ１１０４、図４のステップ１１２２、及び図５のステップ１１３２における梁筋配筋作業に代えて、ハーフＰＣ梁部材の建て込み工程を行えばよい。なお、梁型枠の設置作業が不要な場合には、図３のステップ１１０６、図４のステップ１１２３、及び図５のステップ１１３３の梁型枠の設置作業を省略すればよい。
【００４８】
<柱：現場打ち、梁：現場打ち又はハーフＰＣ、床：ハーフＰＣの場合>
図６は柱、梁を現場打ち、床をハーフＰＣ床板を用いて構築する場合の作業の流れの一例を示すフローチャートである。同図に示すように、このような場合には、Ｎ階の立上り構築作業のうち、ステップ１１４０〜１１４８におけるＮ階の柱の柱筋の配筋作業及び柱型枠の設置作業、Ｎ＋１階の梁の梁筋の配筋作業及び型枠の設置作業、及び、Ｎ＋１階の床を構成するハーフＰＣ床板の建て込み作業を先行作業として行い、これら先行作業と少なくとも一部の作業が並行するように、Ｎ−１階の立上り構築作業の後行作業であるステップ１１５０〜１１５６におけるＮ階のスラブ筋の配筋作業、Ｎ−１階の柱、Ｎ階の梁及びＮ階の床を構成するコンクリートの打設作業を行えばよい。
【００４９】
なお、本実施形態では、ステップ１１４４における梁筋の配筋作業の後、ステップ１１４６における梁型枠の設置作業を行うものとしたが、これらの作業を逆の順序で行ってもよい。
また、本実施形態においても、上述した条件Ａ〜Ｊに適合する場合であれば、先行作業の一部を後行作業として、又、後行作業の一部を先行作業として行うものとしてもよい。
【００５０】
なお、上記の実施形態では、梁を現場打ちにより構築する場合について説明したが、梁をハーフＰＣ梁部材を用いて構築する場合には、図６のステップ１１４４における梁筋配筋作業に代えて、ハーフＰＣ梁部材の建て込み工程を行えばよい。また、ステップ１１４６の梁型枠の設置作業は、梁型枠が不要な場合には省略すればよい。
【００５１】
<柱：現場打ち、梁：現場打ち又はハーフＰＣ、床：現場打ちの場合>
図７は、柱、梁、床ともに現場打ちの場合の鉄筋コンクリート造建物を構築する場合のフローチャートである。同図に示すように、柱、梁、床ともに現場打ちにより構築する場合には、Ｎ階の立上り構築作業のうち、ステップ１１６０〜１１６８におけるＮ階の柱の柱筋配筋作業及び柱型枠設置作業、Ｎ＋１階の梁の梁筋配筋作業及び梁型枠設置作業、及びＮ＋１階の床型枠の設置作業を先行作業として行い、これと並行して、Ｎ−１階の立上り構築作業の後行作業である、ステップ１１７０〜１１７６におけるＮ階のスラブ筋の配筋作業、Ｎ−１階の柱、Ｎ階の梁、及びＮ階の床を構成するコンクリートを打設する作業を行えばよいこれにより施工期間を短縮することが可能となる。
【００５２】
なお、本実施形態においても、ステップ１１６４における梁筋の配筋作業と、ステップ１１６６における梁型枠の設置作業とを逆の順序で行ってもよい。
また、本実施形態においても、上記の条件Ａ〜Ｊに適合する場合であれば、先行作業の一部を後行作業として、又、後行作業の一部を先行作業として行うものとしてもよい。
【００５３】
また、上記の実施形態では、梁を現場打ちにより構築する場合について説明したが、梁をハーフＰＣ梁部材を用いて構築する場合には、図７のステップ１１６４における梁筋配筋作業に代えて、ハーフＰＣ梁部材の建て込み工程を行えばよい。
【００５４】
<柱：現場打ち、梁：フルＰＣ、床：フルＰＣの場合>
図８は、柱を現場打ちとし、梁及び床をフルＰＣ部材を用いて構築する場合の作業の流れを示すフローチャートである。
同図に示すように、梁及び床をフルＰＣ部材を用いて構築する場合には、例えば、ステップ１２００〜１２０６における、Ｎ階の立上り構築作業のうち、先行作業として、Ｎ階の柱の柱筋配筋作業及び柱型枠設置作業、Ｎ＋１階の梁を構成するフルＰＣ梁部材の建て込み作業、及び、Ｎ＋１階の床を構成するフルＰＣ床板の建て込み作業とを行い、これと並行して、Ｎ−１階の立上り構築作業の後行作業であるステップ１２０８におけるＮ−１階の柱を構成するコンクリートの打設を行えばよい。
【００５５】
なお、本実施形態においても、上記の条件Ａ〜Ｊに適合する場合であれば、先行作業の一部を後行作業として、又、後行作業の一部を先行作業として行うものとしてもよい。
【００５６】
<柱：現場打ち、梁：フルＰＣ、床：ハーフＰＣの場合>
図９は、柱を現場打ちとし、梁をフルＰＣ部材を用いて構築し、床をハーフＰＣ床板を用いて構築する場合の流れを示すフローチャートである。
同図に示すように、かかる場合には、例えば、Ｎ階の立上り構築作業のうち、先行作業として、ステップ１２２０〜１２２６のＮ階の柱の柱筋の配筋作業及び柱型枠の設置作業、Ｎ＋１階の梁を構成するフルＰＣ梁部材の建込み作業、及び、Ｎ＋１階の床を構成するハーフＰＣ床板の建込み作業を行い、これと並行して、Ｎ−１階の立上り構築作業の後行作業である、ステップ１２２８〜１２３２のＮ階のスラブ筋の配筋作業、Ｎ−１階の柱及びＮ階の床を構成するコンクリートの打設作業を行えばよい。このようにしても、施工期間を短縮できる。
【００５７】
なお、本実施形態においても、上記の条件Ａ〜Ｊに適合する場合であれば、先行作業の一部を後行作業として、又、後行作業の一部を先行作業として行うものとしてもよい。
【００５８】
<柱：現場打ち、梁：フルＰＣ、床：現場打ちの場合>
図１０は、柱を現場打ちとし、梁をフルＰＣ部材は用いて構築し、床を現場打ちとした場合の流れを示すフローチャートである。同図に示すように、本実施形態では、上記説明した図９に示す、柱を現場打ちとし、梁をフルＰＣ部材を用いて構築し、床をハーフＰＣ床板を用いて構築した場合のフローチャートにおけるステップ１２２６のＮ＋１階のハーフＰＣ床板を建て込む工程に代えて、ステップ１２４６のＮ＋１階の床型枠を建て込む工程を行えばよい。
【００５９】
なお、本実施形態においても、上記の条件Ａ〜Ｊに適合する場合であれば、先行作業の一部を後行作業として、又、後行作業の一部を先行作業として行うものとしてもよい。
【００６０】
<柱：フルＰＣ、梁：現場打ち又はハーフＰＣ、床：ハーフＰＣ又は現場打ちの場合>
本実施形態では、柱はフルＰＣ部材を用いて構築し、梁は現場打ちにより構築し、床はハーフＰＣ部材を用いて構築する場合について説明する。
図１１Ａ〜図１１Ｄは、かかる場合の鉄筋コンクリート造の建物を構築する流れを説明するための図であり、図１２は、かかる場合の鉄筋コンクリート造の建物を構築する流れを説明するためのフローチャートである。なお、図１１Ａ〜図１１Ｄにおいて、構築が完了している箇所は灰色で示している。
【００６１】
本実施形態では、各階の立上り構築作業のうち、その階のフルＰＣ柱部材の建て込み作業、及びその直上の階の梁の梁筋配筋作業及び梁型枠の設置作業を先行作業とし、その直上の階の床のハーフＰＣ床板の建て込み作業、直上の階の床筋の配筋作業、直上の階の床コンクリートの打設作業、及び直上の階の梁コンクリートの打設作業を後行作業とする。すなわち、Ｎ階を作業対象階とした場合に、Ｎ階の立上り構築作業のうちの先行作業（Ｎ階のフルＰＣ柱部材の建て込み作業、Ｎ＋１階の梁筋の配筋作業、及びＮ＋１階の梁型枠の設置作業）と、Ｎ−１階の立上り構築作業のうちの後行作業（Ｎ階のハーフＰＣ愉快の建て込み作業、Ｎ階のスラブ筋の配筋作業、Ｎ階の床コンクリートの打設作業、及びＮ階の梁コンクリートの打設作業）と、を少なくとも一部を並行して行う。
【００６２】
以下、詳細に本実施形態の鉄筋コンクリート造建物の構築方法を説明する。
図１１Ａに示すように、図１２のステップ１３００におけるＮ階のフルＰＣ柱部材の建て込み作業を行うにあたり、Ｎ−１階よりも下階の柱(N-1)C２１０の構築が完了しており、Ｎ−１階よりも下の階の梁 (N-1)G２２０の構築が完了しており、Ｎ−１階よりも下の階の床(N-1)Sの構築作業が完了しており、Ｎ階の梁NGの梁筋２２１の配筋作業及び梁型枠２２２の設置作業が完了している。
【００６３】
図１１Ａに示すように、まず、図１２のステップ１３００におけるＮ階の柱NCを構成するＰＣ柱部材２１０Ａの建て込み作業を行う。
【００６４】
次に、図１１Ｂに示すように、ステップ１３０６におけるＮ階の床NSを構成するハーフＰＣ床板２３０Ａを建て込む。この際、建て込んだハーフＰＣ床板２３０ＡはＮ−１階の床(N-1)S２３０上に設けた支持部材２４０により支持する。
【００６５】
次に、図１１Ｃに示すように、ステップ１３０２におけるＮ＋１階の梁(N+1)G1の梁筋２２１の配筋作業及びステップ１３０４におけるＮ階の梁型枠２２２の設置作業を行うとともに、これと並行して、ステップ１３０８におけるＮ階の床NSのスラブ筋２３１の配筋作業を行う。
【００６６】
次に、図１１Ｄに示すように、ステップ１３１０におけるＮ階の梁NGの梁コンクリート２２３の打設作業、及びステップ１３１２におけるＮ階の床NSの床コンクリート２３３の打設作業を行う。これらの作業は、上記のステップ１３０２及びステップ１３０４のＮ＋１階の梁(N+1)G1の梁筋２２１の配筋作業及びＮ階の梁型枠２２２の設置作業と並行して行ってもよい。
【００６７】
これにより、同図に示すように、Ｎ階よりも下階の柱NC２１０の構築が完了しており、Ｎ階よりも下の階の梁 NG２２０の構築が完了しており、Ｎ階よりも下の階の床NSの構築作業が完了しており、Ｎ＋１階の梁(N+1)Gの梁筋２２１の配筋作業及び梁型枠２２２の設置作業が完了した状態（すなわち、図１１ＡのＮ階をＮ＋１階とした状態）となる。このため、ステップ１３００〜１３１２の各工程を各階について行うことにより、ラーメン架構からなる鉄筋コンクリート造の建物を構築することができる。
【００６８】
以上説明したように、本実施形態では、ステップ１３０２、１３０４におけるＮ＋１階の梁筋２２１の配筋作業及び梁型枠２２２の設置作業と、ステップ１３０８及びステップ１３１０におけるＮ階のスラブ筋２３１の配筋作業、Ｎ階の梁コンクリート２２３の打設作業を並行して行うため、施工期間を短縮することができる。
【００６９】
なお、本実施形態では、ステップ１３０２において梁筋の配筋作業を行った後、ステップ１３０４において梁型枠の設置作業を行うものとしたが、これらの作業を逆の順序で行ってもよい。
また、本実施形態において、上記の条件Ａ〜Ｊに適合する場合であれば、先行作業の一部を後行作業として、又、後行作業の一部を先行作業として行うものとしてもよい。
【００７０】
なお、上記の実施形態では、床２３０をハーフＰＣ床板２３０Ａを用いて構築する場合について説明したが、床２３０を現場打ちにより構築する場合には、図１２のステップ１３０６におけるハーフＰＣ床板２３０Ａの建て込み作業に代えて、床型枠の設置作業を行えばよい。
【００７１】
また、上記の実施形態では、梁２２０を現場打ちにより構築する場合について説明したが、梁２２０をハーフＰＣ梁部材を用いて構築する場合には、図１２のステップ１３０８における梁筋２２１の配筋作業に代えて、ハーフＰＣ梁部材の建て込み作業を行えばよい。
【００７２】
<柱：フルＰＣ、梁：現場打ち又はハーフＰＣ、床：フルＰＣの場合>
図１３は、柱をフルＰＣ柱部材を建て込むことにより構築し、梁を現場打ちにより構築し、床をフルＰＣ床板を建て込むことにより構築する場合の作業の流れを示すフローチャートである。
同図に示すように、柱をフルＰＣ柱部材を建て込むことにより構築し、梁を現場打ちにより構築し、床をフルＰＣ床板を建て込むことにより構築する場合には、例えば、Ｎ階の立上り構築作業のうち、先行作業として、ステップ１３２０〜１３２４において、Ｎ階のフルＰＣ柱部材の建て込み、Ｎ＋１階のフルＰＣ床板の建て込み、及びＮ＋１階の梁筋配筋を行い、これと並行して、Ｎ−１階の立上り構築作業の後行作業である、ステップ１３２６、１３２８において、Ｎ−１階の梁型枠設置及びＮ−１階の梁コンクリートの打設を行えばよい。このようにしても、施工期間を短縮できる。
【００７３】
なお、本実施形態においても、上記の条件Ａ〜Ｊに適合する場合であれば、先行作業の一部を後行作業として、又、後行作業の一部を先行作業として行うものとしてもよい。
【００７４】
<柱：フルＰＣ、梁：フルＰＣ、床：ハーフＰＣ又は現場打ちの場合>
図１４は、柱をフルＰＣ柱部材を用いて構築し、梁をフルＰＣ梁部材を用いて構築し、床をハーフＰＣ床板を用いて構築する場合の作業の流れを示すフローチャートである。
同図に示すように、このような場合には、例えば、Ｎ階の立上り構築作業のうち、先行作業として、ステップ１３４０〜１３４４において、Ｎ階のフルＰＣ柱部材の建て込み作業、Ｎ＋１階のフルＰＣ梁部材の建て込み、及びＮ＋１階のハーフＰＣ床板の建て込みを行い、これと並行して、Ｎ−１階の立上り構築作業のうちの後行作業である、ステップ１３４６〜１３４８のＮ階のスラブ筋の配筋作業、Ｎ階の梁コンクリート打設を行えばよい。これにより、先行作業と後行作業の一部を並行して行うことができるため、施工期間を短縮することができる。
【００７５】
なお、本実施形態においても、上記の条件Ａ〜Ｊに適合する場合であれば、先行作業の一部を後行作業として、又、後行作業の一部を先行作業として行うものとしてもよい。
【００７６】
<柱：フルＰＣ、梁：フルＰＣ、床：フルＰＣの場合>
図１５は、柱、梁、床をフルＰＣ部材を用いて構築する場合の作業の流れを示すフローチャートである。同図に示すように、このような場合には、Ｎ階の立上り構築作業のうち、先行作業として、ステップ１３６０、１３６２においてＮ階のフルＰＣ柱部材の建て込み作業、及びＮ＋１階のフルＰＣ梁部材の建て込み作業を行い、これと並行して、Ｎ−２階の後行作業である、ステップ３６４における、Ｎ−１階のフルＰＣ床板の建て込み作業を行えばよい。これにより、先行作業と後行作業の一部を並行して行うことができるため、施工期間を短縮することができる。
【００７７】
<柱：２フロア分フルＰＣ、梁：現場打ち、床フルＰＣ>
上記した柱をフルＰＣ柱部材を用いて構築する各実施形態では、１フロア分の長さを有するフルＰＣ柱部材を用いているが、これに限らず、２フロア分の長さを有するフルＰＣ柱部材を用いることも可能である。以下、柱は２フロア分の長さを有するフルＰＣ柱部材を用いて構築し、梁は現場打ちにより構築し、床はフルＰＣ床板を用いて鉄筋コンクリート造建物を構築する場合について説明する。なお、ＰＣ柱部材の接合箇所は、隣接する柱において異なる階に位置するようにする。本実施形態では、２フロア部の長さを有するフルＰＣ柱部材を用いるため、各階の立上り作業における柱の構築作業として、隣接する柱の何れか一方の柱を構成するフルＰＣ柱部材を建て込む作業を行うこととなる。
【００７８】
図１６Ａ〜図１６Ｃは、かかる場合の鉄筋コンクリート造の建物を構築する流れを説明するための図であり、図１７は、かかる場合の鉄筋コンクリート造の建物を構築する流れを説明するためのフローチャートである。
【００７９】
本実施形態では、Ｎ階を作業対象階とした場合に、Ｎ階の立上り構築作業のうち、先行作業として、片側のＮ階及びＮ＋１階の柱を構成するＰＣ柱部材の建て込み作業、Ｎ＋１階の梁筋の配筋作業、Ｎ＋１階の梁型枠の設置作業、及びＮ＋１階のフルＰＣ床板の建て込み作業を行い、これと並行して、Ｎ−１階の立上り構築作業の後行作業である、Ｎ階の梁コンクリートの打設作業を行うことにより施工期間を短縮する。
【００８０】
以下、詳細に本実施形態の鉄筋コンクリート造建物の構築方法を説明する。
図１６Ａに示すように、図１７のステップ１３８０における図中右側のＮ階及びＮ＋１階の柱３１０を構成するＰＣ柱部材３１０Ａの建て込み作業を行うにあたり、図中左側の柱３１０はＮ階まで、図中右側の柱３１０はＮ−１階まで構築が完了し、梁３２０はＮ−１階まで構築が完了するとともに、Ｎ階の梁筋３２１の配筋作業及び梁型枠３２２の設置作業が完了しており、床３３０はＮ階まで構築が完了している。
【００８１】
まず、図１６Ａに示すように、図１７のステップ１３８０において、図中右側のＮ階及びＮ＋１階の柱３１０を構成するＰＣ柱部材３１０Ａの建て込み作業を行う。
【００８２】
次に、図１６Ｂに示すように、ステップ１３８２におけるＮ＋１階の梁(N+1)Gの梁筋の配筋作業及びステップ１３８４におけるＮ＋１階の梁(N+1)Gの梁型枠３２２の設置作業を行う。なお、梁筋３２１の配筋作業は、予め、地組みした梁筋３２１を揚重装置などにより建て込むとよい。
【００８３】
次に、図１６Ｃに示すように、ステップ１３８６におけるＮ＋１階の床(N+1)Sを構成するフルＰＣ床板３２１Ａの建て込み作業を行うとともに、これと並行して、ステップ１３８８におけるＮ階の梁NGを構成するコンクリート３２３の打設を行う。
【００８４】
これにより、同図に示すように、図中右側の柱３１０はＮ＋１階まで、図中左側の柱３１０はＮ階まで構築が完了し、梁３２０はＮ階まで構築が完了するとともに、Ｎ＋１階の梁筋３２１の配筋作業及び梁型枠３２２の設置作業が完了しており、床３３０はＮ＋１階まで構築が完了した状態（すなわち、図１６Ａの左右を反転し、Ｎ階をＮ＋１階とした状態）となる。このように、ステップ１３８０〜１３８８の各工程を各階について行うことにより、ラーメン架構からなる鉄筋コンクリート造の建物を構築することができる。
【００８５】
以上のように、フルＰＣ部材を用いて柱３１０を構築する場合に、２フロア分の長さを有するフルＰＣ柱部材を用いることも可能である。
【００８６】
なお、本実施形態では、ステップ１３８２において梁筋の配筋作業を行った後、ステップ１３８４において、梁型枠の設置作業を行ったが、これらの作業を逆の順序で行ってもよい。
また、上記の実施形態では、隣接する柱において、フルＰＣ柱部材の接合箇所が異なる階に位置するようにしたが、これに限らず、接合箇所が同じ階に位置するようにしてもよい。図１８は、このような場合の鉄筋コンクリート造の建物を構築する流れを示すフローチャートである。
【００８７】
同図に示すように、このような場合には、図１７のステップ１３８０における片側のＮ階及びＮ＋１階の柱を構成するフルＰＣ柱部材３１０Ａを建て込む作業に変えて、ステップ１４００において、両側のＮ階及びＮ＋１階の柱を構成するフルＰＣ柱部材３１０Ａを建て込む作業を行う。そして、フルＰＣ柱部材３１０Ａは２フロア分の長さを有するため、このステップ４０２の工程は、建物の２フロア分を構築する中で１回行えばよいので、例えば、Ｎが奇数の場合に実施し、Ｎが偶数の場合なら不実施とすればよい。このように、柱３１０を２フロア以上の長さを有するフルＰＣ柱部材を用いて構築する場合には、フルＰＣ柱部材の建て込み工程が、一部の階を作業対象階とした場合にしか行わないことがあるが、このような場合も本発明の鉄筋コンクリート造の構築方法に含まれる。
なお、図１８に示す実施形態では、ステップ１４０２において梁筋の配筋作業を行った後、ステップ１４０４において、梁型枠の設置作業を行ったが、これらの作業を逆の順序で行ってもよい。
【００８８】
なお、上記の各実施形態において、Ｎ階の立上り構築作業のうちの先行作業と、Ｎ−１階又はＮ−２階の立上り構築作業のうちの後行作業とを並行して行うものとしたが、これに限らず、Ｎ−１階よりも下の階の立上り構築作業のうちの後行作業であれば、Ｎ階の立上り構築作業のうちの先行作業と、並行して行うことができる。
【００８９】
また、上記の各実施形態では、各階の立上り構築作業を先行作業と後行作業とに分けて、Ｎ階の立上り構築作業の先行作業と、Ｎ−１階よりも下の階の立上り構築作業の後行作業とを並行して行うものとしたが、これに限らず、上記の条件Ａ〜Ｊが満たされれば、各階の立上り構築作業を３以上の作業に分けて、３以上の階においてこれらの作業を並行して行うものとしてもよい。
【００９０】
また、上記の各実施形態において、作業対象階の各階の先行作業及び後行作業は、夫々の階について同じ様に分ける場合について説明したが、これに限らず、夫々の階について先行作業及び後行作業を異なるように分けてもよい。
【００９１】
すなわち、例えば、床を現場打ちコンクリートで構築する際に、Ｎ階の立上り構築作業では床コンクリートの打設作業が後行作業に含まれるように、先行作業と後行作業とを分け、Ｎ−１階の立上り構築作業では、床コンクリートの打設作業が先行作業に含まれるように分けることができる。このような場合には、Ｎ階の立上り構築作業の先行作業として行うＮ階の床コンクリートの打設作業と、Ｎ−１階の立上り構築作業として行うＮ−１階の床コンクリートの打設作業とを並行して行うことができるが、このような場合も本発明に含まれる。
【図面の簡単な説明】
【００９２】
【図１】本発明の鉄筋コンクリート造建物の構築方法の各工程と、従来の構築方法の各工程とを比較するための図である。
【図２Ａ】現場打ちコンクリート部材より構築し、床はフルＰＣ部材を用いて構築する場合の作業の流れを説明するための図（その１）である。
【図２Ｂ】現場打ちコンクリート部材より構築し、床はフルＰＣ部材を用いて構築する場合の作業の流れを説明するための図（その２）である。
【図２Ｃ】現場打ちコンクリート部材より構築し、床はフルＰＣ部材を用いて構築する場合の作業の流れを説明するための図（その３）である。
【図２Ｄ】現場打ちコンクリート部材より構築し、床はフルＰＣ部材を用いて構築する場合の作業の流れを説明するための図（その４）である。
【図３】現場打ちコンクリート部材より構築し、床はフルＰＣ部材を用いて構築する場合の工程を説明するためのフローチャートである。
【図４】柱の構築作業の一部の作業及び、梁の構築作業の一部の作業のみを先行作業とした場合の工程を説明するためのフローチャートである。
【図５】柱の構築作業の一部の作業のみを先行作業とした場合の工程を説明するためのフローチャートである。
【図６】梁を現場打ち、床をハーフＰＣ床板を用いて構築する場合の工程を説明するためのフローチャートである。
【図７】柱、梁、床ともに現場打ちの場合の鉄筋コンクリート造建物を構築する場合の工程を説明するためのフローチャートである。
【図８】柱を現場打ちとし、梁及び床をフルＰＣ部材を用いて構築する場合の工程を説明するためのフローチャートである。
【図９】柱を現場打ちとし、梁をフルＰＣ部材を用いて構築し、床をハーフＰＣ床板を用いて構築する場合の工程を説明するためのフローチャートである。
【図１０】柱を現場打ちとし、梁をフルＰＣ部材は用いて構築し、床を現場打ちとした場合の工程を説明するためのフローチャートである。
【図１１Ａ】柱はフルＰＣ部材を用いて構築し、梁は現場打ちにより構築し、床はハーフＰＣ部材を用いて構築する場合の作業の流れを示す図（その１）である。
【図１１Ｂ】柱はフルＰＣ部材を用いて構築し、梁は現場打ちにより構築し、床はハーフＰＣ部材を用いて構築する場合の作業の流れを示す図（その２）である。
【図１１Ｃ】柱はフルＰＣ部材を用いて構築し、梁は現場打ちにより構築し、床はハーフＰＣ部材を用いて構築する場合の作業の流れを示す図（その３）である。
【図１１Ｄ】柱はフルＰＣ部材を用いて構築し、梁は現場打ちにより構築し、床はハーフＰＣ部材を用いて構築する場合の作業の流れを示す図（その４）である。
【図１２】柱はフルＰＣ部材を用いて構築し、梁は現場打ちにより構築し、床はハーフＰＣ部材を用いて構築する場合の工程を説明するためのフローチャートである。
【図１３】柱をフルＰＣ柱部材を建て込むことにより構築し、梁を現場打ちにより構築し、床をフルＰＣ床板を建て込むことにより構築する場合の作業の工程を説明するためのフローチャートである。
【図１４】柱をフルＰＣ柱部材を用いて構築し、梁をフルＰＣ梁部材を用いて構築し、床をハーフＰＣ床板を用いて構築する場合の作業の工程を説明するためのフローチャートである。
【図１５】柱、梁、床をフルＰＣ部材を用いて構築する場合の工程を説明するためのフローチャートである。
【図１６Ａ】柱は２フロア分の長さを有するフルＰＣ部材を用いて構築し、梁は現場打ちにより構築し、床はフルＰＣ床板を用いて鉄筋コンクリート造建物を構築する場合の鉄筋コンクリート造の建物を構築する流れを説明するための図（その１）である。
【図１６Ｂ】柱は２フロア分の長さを有するフルＰＣ部材を用いて構築し、梁は現場打ちにより構築し、床はフルＰＣ床板を用いて鉄筋コンクリート造建物を構築する場合の鉄筋コンクリート造の建物を構築する流れを説明するための図（その２）である。
【図１６Ｃ】柱は２フロア分の長さを有するフルＰＣ部材を用いて構築し、梁は現場打ちにより構築し、床はフルＰＣ床板を用いて鉄筋コンクリート造建物を構築する場合の鉄筋コンクリート造の建物を構築する流れを説明するための図（その３）である。
【図１７】柱は２フロア分の長さを有するフルＰＣ部材を用いて構築し、梁は現場打ちにより構築し、床はフルＰＣ床板を用いて鉄筋コンクリート造建物を構築する場合の鉄筋コンクリート造の建物を構築する工程を説明するためのフローチャートである。
【図１８】柱は２フロア分の長さを有するフルＰＣ部材を用いて構築し、梁は現場打ちにより構築し、床はフルＰＣ床板を用いて鉄筋コンクリート造建物を構築する方法において接合箇所が同じ階に位置するようにした場合の鉄筋コンクリート造の建物を構築する工程を説明するためのフローチャートである。
【図１９】従来の方法により、柱はＰＣ柱部材を用いて構築し、梁はＰＣ梁部材を用いて構築し、床は現場打ちコンクリート部材により構築する場合の工程を説明するための図である。
【符号の説明】
【００９３】
１１０、２１０、３１０  柱
１１１  柱筋
１１２  柱型枠
１１３  柱コンクリート
１２０、２２０、３２０  梁
１２１、２２１、３２１  梁筋
１２２、２２２、３２２  梁型枠
１２３、２２３、３２３  梁コンクリート
１３０、２３０、３３０  床
１３０Ａ、３３０Ａ  フルＰＣ床板
２３０Ａ  ハーフＰＣ床板
２３１  床筋
２３３  床コンクリート
３１０Ａ  フルＰＣ柱部材
【図１】
2009102914.tif 000003
【図３】
2009102914.tif 000004
【図４】
2009102914.tif 000005
【図５】
2009102914.tif 000006
【図６】
2009102914.tif 000007
【図７】
2009102914.tif 000008
【図８】
2009102914.tif 000009
【図９】
2009102914.tif 000010
【図１０】
2009102914.tif 000011
【図１２】
2009102914.tif 000012
【図１３】
2009102914.tif 000013
【図１４】
2009102914.tif 000014
【図１５】
2009102914.tif 000015
【図１７】
2009102914.tif 000016
【図１８】
2009102914.tif 000017
【図２Ａ】
2009102914.tif 000018
【図２Ｂ】
2009102914.tif 000019
【図２Ｃ】
2009102914.tif 000020
【図２Ｄ】
2009102914.tif 000021
【図１１Ａ】
2009102914.tif 000022
【図１１Ｂ】
2009102914.tif 000023
【図１１Ｃ】
2009102914.tif 000024
【図１１Ｄ】
2009102914.tif 000025
【図１６Ａ】
2009102914.tif 000026
【図１６Ｂ】
2009102914.tif 000027
【図１６Ｃ】
2009102914.tif 000028
【図１９】
2009102914.tif 000029